(57)【要約】これらの代表的な実施例に従うシステム及び方法は、例えば、ＣＥＬＬ＿ＦＡＣＨ状態などのランダムアクセス状態で動作しているユーザ機器ＵＥ（１４）によるアップリンク送信に関係する干渉のネットワーク制御を提供する。無線ネットワーク制御装置ＲＮＣ（１８）は、そのようなＵＥに対するアップリンク送信の制限、例えば、最大トランスポートブロックサイズ（ＴＢＳ）を決定し、次いで、これを送信することができる。
2011511595.tif 000002
【特許請求の範囲】
【請求項１】
無線ネットワーク制御装置（ＲＮＣ）（１８）において、ユーザ機器（１４）によるアップリンクチャネルによる送信に関係した少なくとも１つのスループットパラメータを決定する工程と、
別のネットワークノード（１０）に対して前記ＲＮＣ（１８）から前記少なくとも１つのスループットパラメータを送信する工程とを有することを特徴とする方法。
【請求項２】
前記少なくとも１つのスループットパラメータは、前記ユーザ機器（１４）がランダムアクセス状態で動作しているときに、前記ユーザ機器（１４）による送信と関係することを特徴とする請求項１に記載の方法。
【請求項３】
前記少なくとも１つのスループットパラメータは最大トランスポートブロックサイズ（ＴＢＳ）であり、
前記別のネットワークノードはＮｏｄｅＢであり、
前記アップリンクチャネルは拡張個別チャネル（Ｅ−ＤＣＨ）であり、
前記ランダムアクセス状態はＣＥＬＬ＿ＦＡＣＨ状態であることを特徴とする請求項２に記載の方法。
【請求項４】
前記決定する工程はさらに、受信されスケジュールされたＥＤＣＨ電力割当（ＲＥＥＰＳ）測定と受信全広帯域電力と基準受信広帯域電力との内の少なくとも１つを用いて前記少なくとも１つの最大ＴＢＳを決定する工程を有することを特徴とする請求項３又は４に記載の方法。
【請求項５】
前記決定する工程はさらに、前記少なくとも１つの最大ＴＢＳとして、前記ＣＥＬＬ＿ＦＡＣＨ状態で動作している全てのユーザに関して、ＮｏｄｅＢ（１０）当りただ１つの最大ＴＢＳを決定することを特徴とする請求項３又は４に記載の方法。
【請求項６】
前記決定する工程はさらに、前記少なくとも１つの最大ＴＢＳとして、セル周縁部に位置しており前記ＣＥＬＬ＿ＦＡＣＨ状態で動作している全てのユーザに関して、ＮｏｄｅＢ（１０）当りただ１つの最大ＴＢＳを決定することを特徴とする請求項３又は４に記載の方法。
【請求項７】
前記決定する工程はさらに、前記少なくとも１つの最大ＴＢＳとして、ＮｏｄｅＢ（１０）当り、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含む
２つの最大ＴＢＳを決定することを特徴とする請求項６に記載の方法。
【請求項８】
前記送信する工程はさらに、無線ネットワークサブシステムアプリケーション部（ＲＮＳＡＰ）とノードＢアプリケーション部（ＮＢＡＰ）シグナリングの内の少なくとも１つを用いてＩｕｂインタフェースとＩｕｒインタフェースとの内の少なくとも１つにより前記少なくとも１つのスループットパラメータを送信する工程を有することを特徴とする請求項１乃至７のいずれか１項に記載の方法。
【請求項９】
前記少なくとも１つのスループットパラメータは、
許可可能なアップリンクビットレート、最大トランスポートブロックサイズ（ＴＢＳ）、スケジューリング・グラント・パラメータ、ノイズ上昇パラメータ、Ｅ−ＴＦＣ或はＥ−ＴＦＣＩ選択パラメータ、Ｅ−ＤＰＤＣＨ対ＤＰＣＣＨ電力比に関係したパラメータとの内の１つであることを特徴とする請求項１又は２に記載の方法。
【請求項１０】
前記ＮｏｄｅＢ（１０）において前記最大ＴＢＳを受信する工程と、
前記ＮｏｄｅＢ（１０）によって、前記ＣＥＬＬ＿ＦＡＣＨ状態で動作している前記ユーザ機器（１４）の内の少なくともいくつかに対してスケジューリング・グラントを送信する工程とをさらに有し、
前記スケジューリング・グラントにより、前記最大ＴＢＳ以下のブロックサイズをもつ前記Ｅ−ＤＣＨでの送信に前記ユーザ機器（１０）を制限することを特徴とする請求項３乃至６のいずれか１項に記載の方法。
【請求項１１】
前記ＮｏｄｅＢ（１０）において前記最大ＴＢＳを受信する工程と、
前記ＮｏｄｅＢ（１０）によって、前記ＣＥＬＬ＿ＦＡＣＨ状態で動作している前記ユーザ機器（１４）の内の少なくともいくつかに対してスケジューリング・グラントを送信する工程とをさらに有し、
前記スケジューリング・グラントにより、前記最大ＴＢＳ以下のブロックサイズをもつ前記Ｅ−ＤＣＨでの送信に前記ユーザ機器（１０）を制限しないことを特徴とする請求項３乃至６のいずれか１項に記載の方法。
【請求項１２】
前記アップリンクチャネルで前記ユーザ機器（１４）による送信に関係した前記少なくとも１つのスループットパラメータを更新する工程をさらに有することを特徴とする請求項１乃至１１のいずれか１項に記載の方法。
【請求項１３】
前記少なくとも１つのスループットパラメータは他のネットワークノード（１０）のグループと関係しており、
前記送信する工程はさらに、前記ＲＮＣ（１８）から前記他のネットワークノード（１０）のグループに対して前記少なくとも１つのスループットパラメータを送信する工程を有することを特徴とする請求項１乃至１２のいずれか１項に記載の方法。
【請求項１４】
前記送信する工程はさらに、セル設定メッセージとセル再構成メッセージとの内の１つを用いて前記少なくとも１つのスループットパラメータを送信する工程を含むことを特徴とする請求項１乃至１３のいずれか１項に記載の方法。
【請求項１５】
１つ以上のネットワークノード（１０）を制御するプロセッサ（６０）を有し、
前記プロセッサ（６０）はアップリンクチャネルでのユーザ機器（１４）による送信に関係した少なくとも１つのスループットパラメータを決定するよう適合され、
前記プロセッサ（６０）はさらに、前記１つ以上のネットワークノード（１０）に対して前記少なくとも１つのスループットパラメータを送信するように適合されていることを特徴とする無線ネットワーク制御装置。
【請求項１６】
前記少なくとも１つのスループットパラメータは、前記ユーザ機器（１４）がランダムアクセス状態で動作しているときに、前記ユーザ機器（１４）による送信と関係することを特徴とする請求項１５に記載の無線ネットワーク制御装置。
【請求項１７】
前記少なくとも１つのスループットパラメータは最大トランスポートブロックサイズ（ＴＢＳ）であり、
前記１つ以上のネットワークノードはＮｏｄｅＢ（１０）であり、
前記アップリンクチャネルは拡張個別チャネル（Ｅ−ＤＣＨ）であり、
前記ランダムアクセス状態はＣＥＬＬ＿ＦＡＣＨ状態であることを特徴とする請求項１６に記載の無線ネットワーク制御装置。
【請求項１８】
前記プロセッサ（６０）はさらに、受信されスケジュールされたＥＤＣＨ電力割当（ＲＥＥＰＳ）測定と受信全広帯域電力と基準受信広帯域電力との内の少なくとも１つを用いて前記少なくとも１つの最大ＴＢＳを決定するよう適合されていることを特徴とする請求項１７に記載の無線ネットワーク制御装置。
【請求項１９】
前記プロセッサ（６０）はさらに、前記少なくとも１つの最大ＴＢＳとして、前記ＣＥＬＬ＿ＦＡＣＨ状態で動作している全てのユーザに関して、ＮｏｄｅＢ（１０）当りただ１つの最大ＴＢＳを決定するよう適合されていることを特徴とする請求項１７又は１８に記載の無線ネットワーク制御装置。
【請求項２０】
前記プロセッサ（６０）はさらに、前記少なくとも１つの最大ＴＢＳとして、セル周縁部に位置しており前記ＣＥＬＬ＿ＦＡＣＨ状態で動作している全てのユーザに関して、ＮｏｄｅＢ（１０）当りただ１つの最大ＴＢＳを決定することを特徴とする請求項１７又は１８に記載の無線ネットワーク制御装置。
【請求項２１】
前記プロセッサ（６０）はさらに、前記少なくとも１つの最大ＴＢＳとして、ＮｏｄｅＢ（１０）当り、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含む
２つの最大ＴＢＳを決定することを特徴とする請求項１７又は１８に記載の無線ネットワーク制御装置。
【請求項２２】
前記プロセッサ（６０）はさらに、無線ネットワークサブシステムアプリケーション部（ＲＮＳＡＰ）とノードＢアプリケーション部（ＮＢＡＰ）シグナリングの内の少なくとも１つを用いてＩｕｂインタフェースとＩｕｒインタフェースとの内の少なくとも１つにより前記少なくとも１つのスループットパラメータを送信するよう適合されていることを特徴とする請求項１５乃至２１のいずれか１項に記載の無線ネットワーク制御装置。
【請求項２３】
前記少なくとも１つのスループットパラメータは、
許可可能なアップリンクビットレート、最大トランスポートブロックサイズ（ＴＢＳ）、スケジューリング・グラント・パラメータ、ノイズ上昇パラメータ、Ｅ−ＴＦＣ或はＥ−ＴＦＣＩ選択パラメータ、Ｅ−ＤＰＤＣＨ対ＤＰＣＣＨ電力比に関係したパラメータとの内の１つであることを特徴とする請求項１５又は１６に記載の無線ネットワーク制御装置。
【請求項２４】
前記プロセッサ（６０）はさらに、前記アップリンクチャネルでユーザ機器による送信に関係した前記少なくとも１つのスループットパラメータを更新するよう適合されていることを特徴とする請求項１５乃至２３のいずれか１項に記載の無線ネットワーク制御装置。
【請求項２５】
前記プロセッサ（６０）はさらに、前記少なくとも１つのスループットパラメータを他のネットワークノードのグループと関係させ、前記他のネットワークノードのグループに対して前記少なくとも１つのスループットパラメータを送信するよう適合されていることを特徴とする請求項１５又は１６に記載の無線ネットワーク制御装置。
【請求項２６】
前記プロセッサ（６０）はさらに、セル設定メッセージとセル再構成メッセージとの内の１つを用いて前記少なくとも１つのスループットパラメータを送信するよう適合されていることを特徴とする請求項１５乃至２６のいずれか１項に記載の無線ネットワーク制御装置。
【請求項２７】
ユーザ機器（１４）がランダムアクセス状態で動作している時に、アップリンクチャネルで前記ユーザ機器（１４）による送信に関係した少なくとも１つのスループットパラメータを示す信号を受信することを含む、信号の送受信を行うように構成されたインタフェース（Ｉｕｂ）と、
前記ユーザ機器に対して、そして、前記ユーザ機器から、エアインタフェースにより信号を送受信するように適合されたトランシーバ（７２）と、
前記トランシーバ（７２）に結合され、前記少なくとも１つのスループットパラメータを処理し、前記少なくとも１つのスループットパラメータに基づくサービング・グラント信号を生成するよう適合されたプロセッサ（７４）とを有し、
前記トランシーバ（７２）は前記サービング・グラント信号を前記ユーザ機器（１４）に対して送信することを特徴とするネットワークノード（１０）。
【請求項２８】
前記少なくとも１つのスループットパラメータは最大トランスポートブロックサイズ（ＴＢＳ）であり、
前記アップリンクチャネルは拡張個別チャネル（Ｅ−ＤＣＨ）であり、
前記ランダムアクセス状態はＣＥＬＬ＿ＦＡＣＨ状態であることを特徴とする請求項２７に記載のネットワークノード。
【請求項２９】
前記最大ＴＢＳは、前記ＣＥＬＬ＿ＦＡＣＨ状態で動作している全てのユーザに関する最大ＴＢＳの値を示すことを特徴とする請求項２８に記載のネットワークノード。
【請求項３０】
前記最大ＴＢＳは、セル周縁部にも位置しており前記ＣＥＬＬ＿ＦＡＣＨ状態で動作しているユーザに関して最大ＴＢＳだけを示すことを特徴とする請求項２８に記載のネットワークノード。
【請求項３１】
前記最大ＴＢＳは、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含む
２つの最大ＴＢＳの値を含むことを特徴とする請求項３１に記載のネットワークノード。
【請求項３２】
前記インタフェースはさらに、無線ネットワークサブシステムアプリケーション部（ＲＮＳＡＰ）とノードＢアプリケーション部（ＮＢＡＰ）シグナリングの内の少なくとも１つを用いてＩｕｂインタフェースにより前記少なくとも１つのスループットパラメータを受信するよう適合されていることを特徴とする請求項２７に記載のネットワークノード。
【請求項３３】
前記少なくとも１つのスループットパラメータは、
許可可能なアップリンクビットレート、最大トランスポートブロックサイズ（ＴＢＳ）、スケジューリング・グラント・パラメータ、ノイズ上昇パラメータ、Ｅ−ＴＦＣ或はＥ−ＴＦＣＩ選択パラメータ、Ｅ−ＤＰＤＣＨ対ＤＰＣＣＨ電力比に関係したパラメータとの内の１つであることを特徴とする請求項２７に記載のネットワークノード。
【請求項３４】
前記プロセッサ（７４）はさらに、前記最大ＴＢＳ以下のブロックサイズをもつ前記アップリンクチャネルＥ−ＤＣＨでの送信に前記ユーザ機器を制限する前記スケジューリング・グラントを生成するよう適合されていることを特徴とする請求項２８乃至３０のいずれか１項に記載のネットワークノード。
【請求項３５】
前記プロセッサ（７４）はさらに、前記最大ＴＢＳ以下のブロックサイズをもつ前記アップリンクチャネルＥ−ＤＣＨでの送信に前記ユーザ機器を制限しない前記スケジューリング・グラントを生成するよう適合されていることを特徴とする請求項２８乃至３０のいずれか１項に記載のネットワークノード。
【請求項３６】
前記インタフェース（Ｉｕｂ）は、前記ユーザ機器（１４）がランダムアクセス状態で動作しているとき、前記アップリンクチャネルでの前記ユーザ機器（１４）による送信と関係する前記少なくとも１つのスループットパラメータを示す前記信号として、セル設定メッセージとセル再構成メッセージとの内の１つを受信するよう構成されていることを特徴とする請求項２７乃至３５のいずれか１項に記載のネットワークノード。
【請求項３７】
ユーザ機器（１４）がランダムアクセス状態で動作しているとき、アップリンクチャネルでの前記ユーザ機器（１４）による送信と関係する少なくとも１つのスループットパラメータを示す信号を受信する工程と、
前記少なくとも１つのスループットパラメータに基いて、サービンググラント信号を生成する工程と、
前記ユーザ機器（１４）に対して、前記サービンググラント信号を送信する工程とを有することを特徴とする方法。
【請求項３８】
前記少なくとも１つのスループットパラメータは最大トランスポートブロックサイズ（ＴＢＳ）であり、
前記アップリンクチャネルは拡張個別チャネル（Ｅ−ＤＣＨ）であり、
前記ランダムアクセス状態はＣＥＬＬ＿ＦＡＣＨ状態であることを特徴とする請求項３７に記載の方法。
【請求項３９】
前記最大ＴＢＳは、前記ＣＥＬＬ＿ＦＡＣＨ状態で動作している全てのユーザに関する最大ＴＢＳの値を示すことを特徴とする請求項３８に記載の方法。
【請求項４０】
前記最大ＴＢＳは、セル周縁部にも位置しており前記ＣＥＬＬ＿ＦＡＣＨ状態で動作しているユーザに関して最大ＴＢＳだけを示すことを特徴とする請求項３８に記載の方法。
【請求項４１】
前記最大ＴＢＳは、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含む
２つの最大ＴＢＳの値を含むことを特徴とする請求項３８に記載の方法。
【請求項４２】
無線ネットワークサブシステムアプリケーション部（ＲＮＳＡＰ）とノードＢアプリケーション部（ＮＢＡＰ）シグナリングの内の少なくとも１つを用いてＩｕｂインタフェースにより前記少なくとも１つのスループットパラメータを受信する工程をさらに有することを特徴とする請求項３７乃至４１のいずれか１項に記載の方法。
【請求項４３】
前記少なくとも１つのスループットパラメータは、
許可可能なアップリンクビットレート、最大トランスポートブロックサイズ（ＴＢＳ）、スケジューリング・グラント・パラメータ、ノイズ上昇パラメータ、Ｅ−ＴＦＣ或はＥ−ＴＦＣＩ選択パラメータ、Ｅ−ＤＰＤＣＨ対ＤＰＣＣＨ電力比に関係したパラメータとの内の１つであることを特徴とする請求項３７に記載の方法。
【請求項４４】
前記最大ＴＢＳ以下のブロックサイズをもつ前記アップリンクチャネルＥ−ＤＣＨでの送信に前記ユーザ機器を制限する前記スケジューリング・グラントを生成する工程をさらに有することを特徴とする請求項３８乃至４０のいずれか１項に記載の方法。
【請求項４５】
前記最大ＴＢＳ以下のブロックサイズをもつ前記アップリンクチャネルＥ−ＤＣＨでの送信に前記ユーザ機器を制限しない前記スケジューリング・グラントを生成する工程をさらに有することを特徴とする請求項３８乃至４０のいずれか１項に記載の方法。
【請求項４６】
前記受信する工程はさらに、前記ユーザ機器（１４）がランダムアクセス状態で動作しているとき、前記アップリンクチャネルでの前記ユーザ機器（１４）による送信と関係する前記少なくとも１つのスループットパラメータを示す前記信号として、セル設定メッセージとセル再構成メッセージとの内の１つを受信する工程を有することを特徴とする請求項３７乃至４５のいずれか１項に記載の方法。
【発明の詳細な説明】
【技術分野】
【０００１】
本発明は一般には通信システムに関し、特に、無線通信システムにおいてアップリンクのスループットおよび干渉を制御する方法及びシステムに関する。
【背景技術】
【０００２】
無線通信ネットワークはもともと、回線交換ネットワークによる音声サービスを主として提供するために開発された。例えば、いわゆる２．５Ｇ及び３Ｇネットワークにおけるパケット交換ベアラの導入によって、ネットワークオペレータは、音声サービスに加えてデータサービスの提供も可能になった。いずれは、ネットワークアーキテクチャはおそらく、音声サービスもデータサービスも提供する全ＩＰ（インターネット  プロトコル）ネットワークへと進化するであろう。しかしながら、ネットワークオペレータは、既存のインフラストラクチュアに多大な投資をしており、それ故、彼らは通常、その既存のインフラストラクチュアへの投資から十分な価値を引き出せるように、全ＩＰネットワークアーキテクチャに徐々に移行するのを好んでいる。また、従来の伝統的なインフラストラクチュアの使用と同時に、一方では次世代無線通信アプリケーションをサポートするのに必要な能力を提供するために、ネットワークオペレータは、全ＩＰベースネットワークに向けた移行の最初のステップとして、次世代無線通信システムを既存の回線交換ネットワーク或はパケット交換ネットワークにオーバレイするハイブリッドネットワークを展開するであろう。
【０００３】
そのような進化するネットワーク構造の一例は、広帯域符号分割多元接続（ＷＣＤＭＡ）システムの進化に見られる。３ＧＰＰ  ＴＳＧ−ＲＡＮで仕様が定められているＷＣＤＭＡシステムは、第３世代移動体通信システムとしての最初の役割から、リリース５における高速ダウンリンクパケットアクセス（ＨＳＤＰＡ）の追加、続くリリース６における拡張アップリンク（ＥＵＬ）（これらは、時には合わせて高速パケットアクセス（ＨＳＰＡ）と呼ばれる）の追加を通じて進化し、広帯域移動データアプリケーションをサポートするデータ帯域幅を提供する。例えば、それぞれ最大約１４Ｍｂｉｔ／ｓ及び５．７Ｍｂｉｔ／ｓのダウンリンクとアップリンクのデータレートは、ＨＳＰＡ標準のリリース６に準拠して設計されたシステムにおいてサポートされる。とりわけ、そのようなデータレートの改善は、ソフト合成ハイブリッド自動再送要求（ＨＡＲＱ）、高次変調、スケジューリング、及びレートコントロールなどの技術の使用によって達成されている。
【０００４】
アップリンクに関係する本検討において特に関心があるのは、ＨＳＰＡシステムのスケジューリング機能である。リリース６のＥＵＬでは、ユーザ機器（ＵＥ）からのアップリンクデータ伝送をサポートする新しい拡張個別チャネル（Ｅ−ＤＣＨ）を導入している。ＥＵＬは、異なるＵＥからのアップリンク送信が互いに干渉するような非直交である。従って、ＥＵＬの共用リソースは、セル内の許容干渉量、即ち、ＮｏｄｅＢにおける総受信電力である。それに応じて、Ｅ−ＤＣＨでの伝送は、ＮｏｄｅＢに設置されたスケジューラが制御し、スケジューラは、ＵＥがいつおよびどのくらいのデータレートでのデータ送信が許可されるかを制御する。
【０００５】
ＨＳＰＡ標準に準拠して設計されたシステムを含むＷＣＤＭＡシステムにおいて動作するＵＥは通常、電力消費と伝送遅延／応答時間とのバランスを取るために図１に示される３つの状態の中の１つで動作する。その中の状態２は、ＵＥがページングメッセージをチェックするためにそのトランシーバ装置の電源をときどきだけ入れる“スリープ”モードを表す。ランダムアクセス（ＣＥＬＬ＿ＦＡＣＨ）状態４では、ＵＥは通常、アクティブ（ＣＥＬＬ＿ＤＣＨ）状態６への移行へと導くランダムアクセス（ＲＡＣＨ）プロセスの一部として、少量のデータを送信できる。アクティブ（ＣＥＬＬ＿ＤＣＨ）状態６では、ＵＥは、普通はＥ−ＤＣＨ及び高速ダウンリンク共用チャネル（ＨＳ−ＤＳＣＨ）のチャネルを使用して、データをそれぞれ送信し、そして、受信する。
【０００６】
ある地域では、ＨＳＰＡは、ＰＣをインターネットに接続するＡＤＳＬ（非対称デジタル加入者ライン）サービスの代替になりうる。ユーザの行動傾向のこの変化は、トラフィック負荷とネットワーク特性にこれに応じた影響を与える。例えば、ＰＣは、エンドユーザとの対話の必要なくバックグラウンドで通信する一連のアプリケーションを実行する。とりわけ、そのようなバックグラウンドトラフィックには、キープアライブメッセージ、ソフトウェア更新プローブ、およびプレゼンスシグナリングを含む。このタイプのトラフィックを効率的にサポートするために、３ＧＰＰは、ＷＣＤＭＡ標準のリリース７および８においてＣＥＬＬ＿ＦＡＣＨ状態４をさらに機能強化するために努力している。即ち、リリース７では、ＣＥＬＬ＿ＦＡＣＨ状態４で動作しているＵＥに対してＨＳＤＰＡを起動させている。従って、ダウンリンクにおいて、ＵＥは、自装置固有のアイデンティティ（Ｈ−ＲＮＴＩ）に関するスケジューリング情報を検出するためにＨＳＤＰＡ制御チャネルを監視し、ランダムアクセス状態にある間にネットワークからより速くデータを受信できる。
【０００７】
ＷＣＤＭＡのリリース８では、ＣＥＬＬ＿ＦＡＣＨで動作しているＵＥに対してＥ−ＤＣＨを起動することによって、アップリンクも改善している。伝送は、サービングＮｏｄｅＢとの連絡を確立するために、即ち、ＵＥがリソース割当メッセージを有する確認応答（ＡＣＫ）または否定応答メッセージ（ＮＡＣＫ）を受信するまで、（ＷＣＤＭＡのリリース９９で行われているように）ＵＥがランダムプリアンブルシーケンスの送信電力を増大させることによって始まる。プリアンブルを検出した後に、サービングセルに関係するＮｏｄｅＢは、そのＵＥに（そのＮｏｄｅＢが管理する）共通Ｅ−ＤＣＨ構成を割り振る。次いでＵＥは、コンテンションがＥ−ＤＣＨ送信におけるＵＥアイデンティティによって解決される共通Ｅ−ＤＣＨで、データの送信を開始してもよい。ＵＥがＣＥＬＬ＿ＦＡＣＨ状態４にある間に、ＵＥにアップリンク送信用のＥ−ＤＣＨを使用可能にすることによって、ＵＥは、連続送信のためにＣＥＬＬ＿ＤＣＨ状態６に効率的に移行される。この機能強化により、ＷＣＤＭＡ標準のリリース６に準拠して構築されたシステムと比べて、ユーザによる性能の認識が大幅に改善する。
【発明の概要】
【発明が解決しようとする課題】
【０００８】
しかし、ＣＥＬＬ＿ＦＡＣＨ状態４のＵＥにより高いデータレートでの送受信を可能にすることによって、例えば、セル間干渉などの干渉状況への寄与の増加を適切に処理するという付随する難問も生じる。なお、セル間干渉状況は、ソフトハンドオーバがない、即ち、非サービングセルからの送信電力制御コマンドと非サービングセルからの相対スケジューリンググラントがないために、ＣＥＬＬ＿ＤＣＨ状態６よりＣＥＬＬ＿ＤＣＨ状態４においてもっと深刻な可能性がある。
【課題を解決するための手段】
【０００９】
次の代表的な実施例は、ネットワーク、例えば、無線ネットワーク制御装置（ＲＮＣ）にアップリンクスループットに関係する１つ以上のパラメータを制御可能にさせることによって、ＥＵＬで動作しているＵＥに関係するアップリンク干渉に関する課題を扱う。例えば、ＲＮＣは、ＵＥがランダムアクセス状態、例えば、ＣＥＬＬ＿ＦＡＣＨ状態にある間にＵＥのアップリンク送信に制限を課してもよい。
【００１０】
代表的な一実施例によれば、その方法は、ＲＮＣにおいてアップリンクチャネルでのユーザ機器の送信に関係する少なくとも１つのスループットパラメータを決定する工程と、その少なくとも１つのスループットパラメータをＲＮＣから別のネットワークノードに向けて送信する工程とを有する。これは、他の利点もあるが、そのような送信に関係するセル間干渉を制御するメカニズムを提供する。
【００１１】
代表的な別の実施例によれば、無線ネットワーク制御装置（ＲＮＣ）は、ユーザ機器のアップリンクチャネルでの送信に関係する少なくとも１つのスループットパラメータを決定し、その少なくとも１つのスループットパラメータを１つ以上のネットワークノードに向けて送信することによって、１つ以上のネットワークノードを制御するプロセッサを有する。これは、他の利点もあるが、そのような送信に関係するセル間干渉を制御するメカニズムを提供する。
【００１２】
代表的なさらに別の実施例によれば、ネットワークノードは、ユーザ機器がランダムアクセス状態で動作している時に、ユーザ機器のアップリンクチャネルでの送信に関係する少なくとも１つのスループットパラメータを示す信号の受信を含む、信号の送受信を行う有線インタフェースと、ユーザ機器とエアインタフェースにより信号を送受信するトランシーバと、そのトランシーバに接続され、少なくとも１つのスループットパラメータを処理し、その少なくとも１つのスループットパラメータに基づきサービンググラント信号を生成するプロセッサとを有し、そのトランシーバは、ユーザ機器に向けてサービンググラント信号を送信する。これは、他の利点もあるが、そのような送信に関係するセル間干渉を制御するメカニズムを提供する。
【００１３】
別の代表的な実施例によれば、その方法は、ユーザ機器がランダムアクセス状態で動作している時に、ユーザ機器のアップリンクチャネルでの送信に関係する少なくとも１つのスループットパラメータを示す信号を受信する工程と、その少なくとも１つのスループットパラメータに基づきサービンググラント信号を生成する工程と、そのサービンググラント信号をユーザ機器に向けて送信する工程とを有する。
【００１４】
添付図面は代表的な実施例を図示する。
【図面の簡単な説明】
【００１５】
【図１】従来の無線通信システムの動作状態を示す図である。
【図２】代表的な実施例が動作する無線通信システムの構成要素を示す図である。
【図３】スケジューリングシグナリングを行う図２の無線通信システムの構成要素を示す図である。
【図４】Ｅ−ＴＦＣ選択機能を示す図である。
【図５】代表的な実施例に関係するシグナリングを示す図である。
【図６】代表的な実施例が実装される無線ネットワーク制御装置（ＲＮＣ）を示す図である。
【図７】代表的な実施例が実装されるＮｏｄｅＢを示す図である。
【図８】代表的な実施例に従う通信方法を示すフローチャートである。
【図９】代表的な実施例に従う別の通信方法を示すフローチャートである。
【発明を実施するための形態】
【００１６】
代表的な実施例についての次の詳細な説明は添付図面を参照する。異なる図面に記載の同じ参照番号は、同一または類似の要素を識別するものである。また、以下の詳細な説明によって、本発明は限定されるものではない。その代わりに、本発明の範囲は、添付の請求の範囲によって規定される。以下の実施例では、説明を簡単にするために、ＷＣＤＭＡシステムの用語および構造に関して検討する。しかし、以下で検討する実施例は、ＷＣＤＭＡシステムに限定されず、他の通信システムに適用されてもよい。
【００１７】
この明細書を通して、“一実施例”または“実施例”への言及は、実施例に関連して説明する特定の機能、構造または特徴が、本発明の少なくとも１つの実施例に含まれることを意味する。従って、この明細書を通した種々の場所での“一実施例において”または“”という言いまわしが現れていることは、必ずしもすべてが同じ実施例に言及しているものではない。また、特定の機能、構造または特徴は、１つ以上の実施例において任意の適切なやり方で組み合わされてもよい。
【００１８】
以下の検討に関していくらかの背景を提供するために、図２に示される代表的なＷＣＤＭＡ無線通信システムを考慮する。ここでは、２つのＮｏｄｅＢ１０と１つのＵＥ１４が示されているが、実際の実施形では通常、ＮｏｄｅＢもＵＥも両方とももっと多く有することが認識されるであろう。ＵＥ１４はアップリンクおよびダウンリンクチャネル１６を使用して、エアインタフェースにより、１つ以上のＮｏｄｅＢ１０と、例えば、上述のＥ−ＤＣＨやＨＳ−ＤＳＣＨチャネルなどで無線通信する。２つのＮｏｄｅＢ１０は、例えば、有線または無線で、対応する無線ネットワーク制御装置（ＲＮＣ）１８に接続されている。この有線または無線リンクを介して、標準Ｉｕｂ（またはＩｕｒ／Ｉｕｂ）インタフェースを用いて、これらのエンティティの間で信号を伝送される。１つのＲＮＣ１８が１つ以上のＮｏｄｅＢ１０を制御してもよい。複数のＲＮＣ１８は、コアネットワーク２０に接続されている。各ＮｏｄｅＢ１０はそれぞれ、特定の地理的エリアあるいはセル２２および２４内のＵＥ１４と信号を送受信する。ＵＥ１４は通常、１つのサービングＮｏｄｅＢ１０またはセル２２に接続されるが、１つ以上の隣接ＮｏｄｅＢ１０またはセル２４からも信号を受信してもよい。そのサービングＮｏｄｅＢからの距離に依存して、ＵＥ１４は、例えば、隣接セルにハンドオフされるであろう地点に近い場合、“セル周縁部”ユーザであると見なされる。ＮｏｄｅＢ１０は、ＵＥ１４またはＲＮＣ１８から受信する情報、例えば、ＮｏｄｅＢ１０からの距離を示す情報である、チャネル品質情報（ＣＱＩ）、ＵＥ送信電力の余裕（ＵＰＨ）、送信電力コマンド（ＴＰＣ）、ラウンドトリップ時間（ＲＴＴ）等に基づいて、ＮｏｄｅＢ１０に接続している各ＵＥ１４をセル周縁部ユーザ（または非セル周縁部ユーザ）に分類してもよい。例えば、比較的低いＣＱＩと比較的小さいＵＰＨと比較的長いＲＴＴとの内の少なくともいずれかを示すＵＥ１４は、ＮｏｄｅＢ１０から比較的遠くにある確率が比較的高く（即ち、おそらくはセル周縁部のＵＥ１４である）、それ故、別のＮｏｄｅＢ１０に対してセル間干渉を起こす確率が比較的高いとＮｏｄｅＢ１０は推定できる。
【００１９】
ＥＵＬに関して、そのセル２２内の種々のＵＥ１４のアクティビティを制御するために、ＮｏｄｅＢ１０にスケジューラ（図２では不図示）が配置される。（ＣＥＬＬ＿ＦＡＣＨ状態４であろうとＣＥＬＬ＿ＤＣＨ状態６であろうと）Ｅ−ＤＣＨでのアップリンク送信に対する適切なリソース割当てを決定するために、スケジューラには、ＵＥ１４のバッファ状態についての情報（例えば、どのくらいのデータを送信する必要があるか）、及び電力利用可能情報（例えば、所与のＵＥに内在する送信能力を考慮して、そのＵＥが送信電力を増加できるか）が提供されるべきである。アップリンク送信のスケジューリングを可能にするために、ＮｏｄｅＢ１０は、図３に示されるように、スケジューリンググラントメッセージをＵＥ１４に送信し、ＵＥ１４からスケジューリング要求メッセージを受信する。スケジューリンググラントメッセージは、ＵＥ１４にそのＥ−ＤＣＨデータレートでの上限を通知し、スケジューラが課した制約内で、ＵＥ１４にＥ−ＤＣＨでのアップリンク送信の実行で用いるＥ−ＤＣＨトランスポートフォーマットコンビネーション（Ｅ−ＴＦＣ）の選択を許可する。必要に応じて、ＵＥ１４は、受信したグラントメッセージで示されたデータレート限界より高いデータレート限界を求めるスケジューリング要求を送信してもよい。
【００２０】
ＵＥ１４は、受信したスケジューリンググラントを使用して、アップリンクＥ−ＤＣＨでの送信のために、相当数の異なるＥ−ＴＦＣ組み合わせの中から１つを選択する。例えば、図４に示されるように、ＵＥ１４の選択機能４０は、複数の異なるＥ−ＴＦＣの中から１つを選択するために、そのデータ格納バッファ内の利用可能データ、サービンググラント制限、およびその利用可能送信電力を考慮することができる。各Ｅ−ＴＦＣ候補は、テーブル４２に示されるように、それと関係があるトランスポートブロックサイズ（ＴＢＳ）及び関連Ｅ−ＤＰＤＣＨ対ＤＰＣＣＨ電力オフセット（β値）を有する。
【００２１】
上述のように、ＷＣＤＭＡ標準への最近の追加によって、ＣＥＬＬ＿ＦＡＣＨ状態４のＵＥは、アップリンクに共用Ｅ−ＤＣＨチャネルを用いて、より高いデータレートで送受信することができる。アップリンクの共用リソースの制限がＮｏｄｅＢ１０における干渉であることを考慮すると、これらの代表的な実施例に従って、ＣＥＬＬ＿ＦＡＣＨ状態４のユーザによってそのようなシステムに加えられるアップリンク干渉の寄与分を考慮、監視および制御することが望ましい。本発明の代表的な実施例によれば、拡張アップリンクを使用しているＣＥＬＬ＿ＦＡＣＨのユーザまたはＵＥ１４のために、例えば、その中でも特にセル周縁部にあるかまたはその近くにいるユーザのために、ＲＮＣ１８が最大ＴＢＳをＮｏｄｅＢ１０にシグナリングするのを可能にするシグナリングサポートが提供される。ＣＥＬＬ＿ＦＡＣＨ状態４で動作している全ユーザに対して、或は、ＣＥＬＬ＿ＦＡＣＨ状態４で動作しているセル周縁部ユーザだけに対して、以下に記述する他のものもあるが、最大ＴＢＳ値のこの新しいシグナリングを導入することによって、例えば、ＲＮＣ１８がそのような送信に関係するセル間干渉を制御できるようにする。
【００２２】
代表的な一実施例によれば、ＲＮＣ１８は、セル２２の最大ＴＢＳ値を決定し、この値をＮｏｄｅＢ１０に、例えば、ノードＢアプリケーション部（ＮＢＡＰ）シグナリングの、例えば、セル設定（Ｃｅｌｌ  Ｓｅｔｕｐ）およびセル再構成手順（Ｃｅｌｌ  Ｒｅｃｏｎｆｉｇｕｒａｔｉｏｎ  ｐｒｏｃｅｄｕｒｅ）（セル設定要求（ＣＥＬＬ  ＳＥＴＵＰ  ＲＥＱＵＥＳＴ）メッセージおよびセル再構成要求（ＣＥＬＬ  ＲＥＣＯＮＦＩＧＵＲＡＴＩＯＮ  ＲＥＱＵＥＳＴ）メッセージ）を用いてＩｕｂインタフェース経由で、あるいは無線ネットワークサブシステムアプリケーション部（ＲＮＳＡＰ）とノードＢアプリケーション部（ＮＢＡＰ）シグナリングの、例えば、無線リンク設定（Ｒａｄｉｏ  Ｌｉｎｋ  Ｓｅｔｕｐ）、無線リンク追加（Ｒａｄｉｏ  Ｌｉｎｋ  Ａｄｄｉｔｉｏｎ）、同期無線リンク再構成準備（Ｓｙｎｃｈｒｏｎｉｓｅｄ  Ｒａｄｉｏ  Ｌｉｎｋ  Ｒｅｃｏｎｆｉｇｕｒａｔｉｏｎ  Ｐｒｅｐａｒａｔｉｏｎ）および非同期無線リンク再構成（Ｕｎｓｙｎｃｈｒｏｎｉｓｅｄ  Ｒａｄｉｏ  Ｌｉｎｋ  Ｒｅｃｏｎｆｉｇｕｒａｔｉｏｎ）の手順を用いてＩｕｒ／Ｉｕｂインタフェース経由でシグナリングする。最大ＴＢＳ値を生成するために、ＲＮＣ１８は、例えば、ＲＳＥＰＳ（受信スケジュール化ＥＤＣＨ電力割当：Ｒｅｃｅｉｖｅｄ  Ｓｃｈｅｄｕｌｅｄ  ＥＤＣＨ  Ｐｏｗｅｒ  Ｓｈａｒｅ）測定、受信全広帯域電力（ＲＴＷＰ）、基準受信全広帯域電力（基準ＲＴＷＰ）等を活用することによって、既存のＮｏｄｅＢ測定値およびインジケータから利用可能な隣接セルの状態についての情報を使用する。従って、ＲＮＣ１８は、種々のＮｏｄｅＢ１０に対して適切な最大ＴＢＳ値を決定し、次いでそれらの値を管理下にあるＮｏｄｅＢ１０に送信できる。ＮｏｄｅＢ１０の測定値が、例えば、基準ＲＴＷＰを大幅に超えるＲＴＷＰの測定結果によって、セル２２が大きいセル間干渉を被っていることを示す場合、ＲＮＣ１８は、隣接セルまたは隣接ＮｏｄｅＢで使用されるなＭＡＸ  ＴＢＳ値を示すことによって、そのセルに対するセル間干渉状況を改善しようと試みることができる。あるいは、例えば、ビット誤り率、ブロック誤り率、平均再送回数またはＳＩＲ誤り（即ち、ＳＩＲ−目標ＳＩＲ）に関して、セル内のＵＥ１４が品質を維持するのが困難であると、ＲＮＣ１８が気付く場合などの、セル２２が干渉問題を有することを推定する他のやり方があろう。
【００２３】
そのような最大ＴＢＳ値、またはより一般的にはスループットパラメータに関する代表的なシグナリングが、図５のシグナリング図に概念的に示されている。しかし、ＭＡＸ  ＴＢＳ値が、別の信号、例えば、上述の、ＣＥＬＬ  ＳＥＴＵＰ  ＲＥＱＵＥＳＴメッセージとＣＥＬＬ  ＲＥＣＯＮＦＩＧＵＲＡＴＩＯＮ  ＲＥＱＵＥＳＴメッセージとの内の少なくともいずれかの情報要素（ＩＥ）として伝えられてもよいことが認識されるであろう。ＮｏｄｅＢ１０は、この最大ＴＢＳ情報を使用して、１つ（以上）の適切なサービンググラントを決定し、次いでそれをこのセル２２内のＵＥ１４に送信する。例えば、図５に示されるサービンググラントは、ＵＥ１４が選択するＥ−ＴＦＣ（またはＥ−ＴＦＣＩ）を制限するように、ＮｏｄｅＢ１０によって公式化されてもよい。この制限は、ＲＮＣ１８から受信されるＭＡＸ  ＴＢＳ値に対応する。サービンググラントによってセル周縁部にいるＵＥ１４に伝えられる最大ＴＢＳ値は、以下に説明するように、セル周縁部にいないＵＥ１４に送信される最大ＴＢＳ値と同じでもよいし、また違ってもよい。
【００２４】
代表的な一実施例によれば、ＮｏｄｅＢ１０のスケジューラは受信したＴＢＳ制限に厳密に従う、即ち、ＮｏｄｅＢ１０は、ＵＥ１４がＲＮＣ１８によって指示された最大ＴＢＳを超えるトランスポートブロックをＥ−ＤＣＨで送信するのを許可しない。しかし、別の代表的な実施例によれば、ＮｏｄｅＢ１０のスケジューラは、伝達された最大ＴＢＳを絶対要件ではなく推奨と見なし、この情報をスケジューリングプロセスで使用して、ＵＥ１４に対する適切なサービンググラントを決定する。最大ＴＢＳ値は、必要なときにＲＮＣ１８によって更新されてもよく、この更新は、ＩｕｂまたはＩｕｒ／Ｉｕｂインタフェース経由で適切なＮＢＡＰまたはＲＮＳＡＰ／ＮＢＡＰシグナリング手順によって行われてもよい。この更新手順に関するＩｕｂ／Ｉｕｒへのシグナリング負荷は、ＴＢＳ値の調節がかなりまれにしか起こらないと予想されるので、比較的少ないと見込まれる。
【００２５】
最大ＴＢＳ値は、以下を含むがそれらに限定されない代表的な実施例に従って、所与のセル２２内のユーザまたはＵＥ１４に対して種々の異なるやり方で確定されてもよい。即ち、
（１）ＲＮＣ１８がＮｏｄｅＢ１０当たり１つの最大ＴＢＳ値を設定し送信して、ＣＥＬＬ＿ＦＡＣＨのユーザ／ＵＥ１４に関する全ＥＵＬを最大ＴＢＳ値以下のトランスポートブロックの送信に限定することと、
（２）ＲＮＣ１８がＮｏｄｅＢ１０当たり１つの最大ＴＢＳ値を設定し送信して、セル周縁部にあるＣＥＬＬ＿ＦＡＣＨのユーザ／ＵＥ１４に関する全ＥＵＬを最大ＴＢＳ値以下のトランスポートブロックの送信に限定する（即ち、この代表的な実施例によれば、セル周縁部にいないユーザ／ＵＥ１４はＲＮＣから送信された最大ＴＢＳ値によって制限されないが、それらは図４に関して上述のＥ−ＴＦＣ選択プロセスに基づいた、あるＴＢＳ制限を依然として有するかもしれない）ことと、
（３）ＲＮＣ１８がＮｏｄｅＢ１０当たり２つの最大ＴＢＳ値を設定し送信して、ＣＥＬＬ＿ＦＡＣＨのセル周縁部にいないユーザ／ＵＥ１４に関する全ＥＵＬを（第１の値に）制限し、セル周縁部にいるＣＥＬＬ＿ＦＡＣＨのユーザ／ＵＥ１４に関する全ＥＵＬを（第１の値とは異なる第２の値に）制限する。異なるＮｏｄｅＢ１０に対する最大ＴＢＳ値は、互いに異なってもよいし、また同じでもよい。さらに、ＲＮＣ１８は、セル２２またはＮｏｄｅＢ１０のセットに対して最大ＴＢＳ値のグループを確定してもよい。
【００２６】
前述の代表的な実施例は、ＲＮＣ１８が例えばセル間干渉などを制御するためにＴＢＳ値を制限する状況における例を提供しているが、本発明がそれに限定されないことは理解されるであろう。例えば、他の代表的な実施例によれば、ＲＮＣ１８は、代わりにＴＢＳとは異なる特性またはパラメータ、例えば、許容アップリンクビットレートと、スケジューリンググラントに関係するパラメータと、Ｅ−ＴＦＣまたはＥ−ＴＦＣＩの選択に関係するパラメータと、Ｅ−ＤＰＤＣＨ対ＤＰＣＣＨ電力比に関係するパラメータと、ノイズ上昇に関係するパラメータとの内の少なくともいずれかなどに関係する制限を決定し、続いてこれをＮｏｄｅＢ１０に送信する。本明細書で使用する限り、用語“スループットパラメータ”は、これらの例示する特性またはパラメータならびに本明細書に明示的に述べられていない他のものの総称を意図している。
【００２７】
図６は、これらの代表的な実施例に従って、少なくとも１つのそのようなスループットパラメータを決定し送信することができる代表的なＲＮＣ１８の概念的構造を示す。その中のプロセッサ６０（または複数のプロセッサもしくはコアプロセッサ）は、ユーザ機器がランダムアクセス状態で動作している時に、そのユーザ機器によるアップリンクチャネルでの送信に関係する少なくとも１つのスループットパラメータを決定することによって、１つ以上のネットワークノード、例えば、ＮｏｄｅＢ１０を制御する。ＲＮＣ１８のプロセッサ６０は、例えば、ＩｕｂまたはＩｕｒ／Ｉｕｂ標準プロトコルなどを用いて、これらのノードに関係する通信インタフェース６１を使用して、例えば、光ファイバリンクなどの通信リンク経由で、１つ以上のネットワークノード１０に向けて少なくとも１つのスループットパラメータを送信する。ＲＮＣ１８は、例えば、１つ以上のメモリデバイス６２などの前述の機能の実行のために協働する他の多くの素子またはデバイスをその中に含んでもよく、図示のように適切なインタフェース６８を用いて、例えば、回線交換通信のためにメディアゲートウェイ（ＭＧＷ）６４経由で、そして、パケット交換通信のためにサービングＧＰＲＳサポートノード（ＳＧＳＮ）６６経由でコアネットワークに接続される。
【００２８】
同様に、ＲＮＣ１８からスループットパラメータを受信するネットワークノード１０が図７に概念的に示されている。その中でＮｏｄｅＢ１０は、トランシーバ７２経由でプロセッサ７４に接続された１つ以上のアンテナ７０を有する。プロセッサ７４は、エアインタフェースを通じてアンテナ７０経由で受信した信号、及びＲＮＣ１８から、例えば、有線で受信した信号を、分析処理するように構成されている。プロセッサ７４は、バス７８経由で１つ以上のメモリデバイス７６にも接続されてもよい。トランシーバ７２とプロセッサ７４がアップリンクとダウンリンク信号の処理をできるようにするために、当業者には認識されることであろうが、符号化、復号化、変調、復調、暗号化、スクランブリング、プリコーディング等のような種々の動作を実行する、不図示のさらなるユニットまたは機能が、電気部品としてだけでなく、ソフトウェアでも、またはこれら２つの実行可能手段の組み合わせとして、オプション的に実装されてもよい。
【００２９】
従って、代表的な一実施例によれば、その方法は、図８のフローチャートに示されるステップを含む。その中のステップ８０では、ＲＮＣが、ユーザ機器によるアップリンクチャネルでの送信に関係する少なくとも１つのスループットパラメータを決定する。次いでステップ８２では、ＲＮＣは、その少なくとも１つのスループットパラメータを別のネットワークノード、例えば、ＮｏｄｅＢ１０に向けて送信する。当業者であれば認識することであるが、図８に示されるような方法は、その全てまたは一部がソフトウェアで実施されてもよい。従って、本発明の代表的な実施例に従ってデータを処理するシステムおよび方法は、メモリデバイスに含まれる命令のシーケンスを実行する１つ以上のプロセッサによって実行されてもよい。そのような命令は、固定的な二次的データ記憶デバイス、リムーバブル媒体、または遠隔（ネットワークストレージ）媒体などの他のコンピュータ可読媒体からメモリデバイス７６に読み込まれるとよい。メモリデバイスに含まれる命令シーケンスの実行は、プロセッサを例えば上述のように動作させる。代替的な実施例では、ハードワイヤ回路が、代表的な実施例を実施するソフトウェア命令の代わりに、またはそれと組み合わせて使用されてもよい。
【００３０】
図９のフローチャートは代表的な実施例による別の方法を示す。その中のステップ９０では、ユーザ機器がランダムアクセス状態で動作している時に、ユーザ機器による送信に関係する少なくとも１つのスループットパラメータ、例えば、最大ＴＢＳと他のパラメータとの内の少なくともいずれかを示す信号が受信される。ステップ９２では、その少なくとも１つのスループットパラメータに基づき、サービンググラント信号が生成される。ステップ９４では、このサービンググラント信号はユーザ機器に向けて送信される。
【００３１】
これまで述べた代表的な実施例は、本発明を限定するものではなく、すべての面で例示的なものであることが意図されている。従って、上述の代表的な実施例に対する多数の変形例や修正例を作ることができる。例えば、前述の代表的な実施例は、制御ノード、即ち、少なくとも１つのスループットパラメータを生成するノードをＲＮＣ１８として例示しているが、本発明はそのように限定されるものではない。制御ノードは、代わりに、例えば、ＷＣＤＭＡ、ＬＴＥ、ＩＭＴ−Ａｄｖａｎｃｅｄ等のようなシステムにおける基地局でもよい。全てのそのような変形例や修正例は、以下の請求の範囲に規定される本発明の範囲および精神の内にあると見なされる。本願の説明で使用された要素、動作、または命令のどれも、明示的にそのように記述されない限り、本発明に決定的に重要または必要不可欠なものと解釈されるべきでない。また、ここで使用する限り、不冠詞“ａ”は、１つ以上の項目を含むことを意図されている。
【図１】
2011511595.tif 000003
【図２】
2011511595.tif 000004
【図３】
2011511595.tif 000005
【図４】
2011511595.tif 000006
【図５】
2011511595.tif 000007
【図６】
2011511595.tif 000008
【図７】
2011511595.tif 000009
【図８】
2011511595.tif 000010
【図９】
2011511595.tif 000011
【手続補正書】
【提出日】平成21年12月7日(2009.12.7)
【手続補正１】
【補正対象書類名】明細書
【補正対象項目名】０００８
【補正方法】変更
【補正の内容】
【０００８】
しかし、ＣＥＬＬ＿ＦＡＣＨ状態４のＵＥにより高いデータレートでの送受信を可能にすることによって、例えば、セル間干渉などの干渉状況への寄与の増加を適切に処理するという付随する難問も生じる。なお、セル間干渉状況は、ソフトハンドオーバがない、即ち、非サービングセルからの送信電力制御コマンドと非サービングセルからの相対スケジューリンググラントがないために、ＣＥＬＬ＿ＤＣＨ状態６よりＣＥＬＬ＿ＤＣＨ状態４においてもっと深刻な可能性がある。
Ｒ２−０８０４１１、即ち、インターデジタル社による３ＧＰＰへの貢献は、セル周縁部にＵＥが原因となる干渉を制限するためにトランスポートブロックサイズの上限がかけられることを開示している。Ｒ２−０８０４１１に従う１つの解決策は、ＣＥＬＬ＿ＦＡＣＨにおいてＥ−ＤＣＨを用いる全てのＵＥのトランスポートブロックサイズを制限することにある。
【手続補正２】
【補正対象書類名】明細書
【補正対象項目名】００３１
【補正方法】変更
【補正の内容】
【００３１】
これまで述べた代表的な実施例は、本発明を限定するものではなく、すべての面で例示的なものであることが意図されている。従って、上述の代表的な実施例に対する多数の変形例や修正例は、以下の請求の範囲の範囲内においてなされる。また、ここで使用する限り、不冠詞“ａ”は、１つ以上の項目を含むことを意図されている。
【手続補正３】
【補正対象書類名】特許請求の範囲
【補正対象項目名】全文
【補正方法】変更
【補正の内容】
【特許請求の範囲】
【請求項１】
無線ネットワーク制御装置（ＲＮＣ）（１８）において、ユーザ機器（１４）によるアップリンクチャネルによる送信に関係した少なくとも１つのスループットパラメータを決定する工程と、
別のネットワークノード（１０）に対して前記ＲＮＣ（１８）から前記少なくとも１つのスループットパラメータを送信する工程とを有する方法であって、
前記別のネットワークノードはＮｏｄｅＢ（１０）であり、
前記少なくとも１つのスループットパラメータは、前記ユーザ機器（１４）がランダムアクセス状態で動作しているときに、前記ユーザ機器（１４）による送信と関係し、
前記少なくとも１つのスループットパラメータは最大トランスポートブロックサイズ（ＴＢＳ）であり、
前記アップリンクチャネルは拡張個別チャネル（Ｅ−ＤＣＨ）であり、
前記ランダムアクセス状態はＣＥＬＬ＿ＦＡＣＨ状態であり、
前記少なくとも１つのスループットパラメータを決定する工程は、前記少なくとも１つの最大ＴＢＳとして、ＮｏｄｅＢ（１０）当り、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含む
２つの最大ＴＢＳを決定する工程を有することを特徴とする方法。
【請求項２】
前記決定する工程はさらに、受信されスケジュールされたＥＤＣＨ電力割当（ＲＥＥＰＳ）測定と受信全広帯域電力と基準受信広帯域電力との内の少なくとも１つを用いて前記少なくとも１つの最大ＴＢＳを決定する工程を有することを特徴とする請求項１に記載の方法。
【請求項３】
前記送信する工程はさらに、無線ネットワークサブシステムアプリケーション部（ＲＮＳＡＰ）とノードＢアプリケーション部（ＮＢＡＰ）シグナリングの内の少なくとも１つを用いてＩｕｂインタフェースとＩｕｒインタフェースとの内の少なくとも１つにより前記少なくとも１つのスループットパラメータを送信する工程を有することを特徴とする請求項１又は２に記載の方法。
【請求項４】
前記ＮｏｄｅＢ（１０）において前記最大ＴＢＳを受信する工程と、
前記ＮｏｄｅＢ（１０）によって、前記ＣＥＬＬ＿ＦＡＣＨ状態で動作している前記ユーザ機器（１４）の内の少なくともいくつかに対してスケジューリング・グラントを送信する工程とをさらに有し、
前記スケジューリング・グラントにより、前記最大ＴＢＳ以下のブロックサイズをもつ前記Ｅ−ＤＣＨでの送信に前記ユーザ機器（１０）を制限することを特徴とする請求項１乃至３のいずれか１項に記載の方法。
【請求項５】
前記ＮｏｄｅＢ（１０）において前記最大ＴＢＳを受信する工程と、
前記ＮｏｄｅＢ（１０）によって、前記ＣＥＬＬ＿ＦＡＣＨ状態で動作している前記ユーザ機器（１４）の内の少なくともいくつかに対してスケジューリング・グラントを送信する工程とをさらに有し、
前記スケジューリング・グラントにより、前記最大ＴＢＳ以下のブロックサイズをもつ前記Ｅ−ＤＣＨでの送信に前記ユーザ機器（１０）を制限しないことを特徴とする請求項１乃至３のいずれか１項に記載の方法。
【請求項６】
前記アップリンクチャネルで前記ユーザ機器（１４）による送信に関係した前記少なくとも１つのスループットパラメータを更新する工程をさらに有することを特徴とする請求項１乃至５のいずれか１項に記載の方法。
【請求項７】
前記少なくとも１つのスループットパラメータは他のネットワークノード（１０）のグループと関係しており、
前記送信する工程はさらに、前記ＲＮＣ（１８）から前記他のネットワークノード（１０）のグループに対して前記少なくとも１つのスループットパラメータを送信する工程を有することを特徴とする請求項１乃至６のいずれか１項に記載の方法。
【請求項８】
前記送信する工程はさらに、セル設定メッセージとセル再構成メッセージとの内の１つを用いて前記少なくとも１つのスループットパラメータを送信する工程を含むことを特徴とする請求項１乃至７のいずれか１項に記載の方法。
【請求項９】
１つ以上のネットワークノード（１０）を制御するプロセッサ（６０）を有し、
前記プロセッサ（６０）はアップリンクチャネルでのユーザ機器（１４）による送信に関係した少なくとも１つのスループットパラメータを決定するよう適合され、
前記プロセッサ（６０）はさらに、前記１つ以上のネットワークノード（１０）に対して前記少なくとも１つのスループットパラメータを送信するように適合されている無線ネットワーク制御装置（ＲＮＣ）（１８）であって、
前記少なくとも１つのスループットパラメータは、前記ユーザ機器（１４）がランダムアクセス状態で動作しているときに、前記ユーザ機器（１４）による送信と関係し、
前記少なくとも１つのスループットパラメータは最大トランスポートブロックサイズ（ＴＢＳ）であり、
前記１つ以上のネットワークノードはＮｏｄｅＢ（１０）であり、
前記アップリンクチャネルは拡張個別チャネル（Ｅ−ＤＣＨ）であり、
前記ランダムアクセス状態はＣＥＬＬ＿ＦＡＣＨ状態であり、
前記プロセッサ（６０）はさらに、前記少なくとも１つの最大ＴＢＳとして、ＮｏｄｅＢ（１０）当り、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含む
２つの最大ＴＢＳを決定するよう適合されていることを特徴とする無線ネットワーク制御装置。
【請求項１０】
前記プロセッサ（６０）はさらに、受信されスケジュールされたＥＤＣＨ電力割当（ＲＥＥＰＳ）測定と受信全広帯域電力と基準受信広帯域電力との内の少なくとも１つを用いて前記少なくとも１つの最大ＴＢＳを決定するよう適合されていることを特徴とする請求項９に記載の無線ネットワーク制御装置。
【請求項１１】
前記プロセッサ（６０）はさらに、無線ネットワークサブシステムアプリケーション部（ＲＮＳＡＰ）とノードＢアプリケーション部（ＮＢＡＰ）シグナリングの内の少なくとも１つを用いてＩｕｂインタフェースとＩｕｒインタフェースとの内の少なくとも１つにより前記少なくとも１つのスループットパラメータを送信するよう適合されていることを特徴とする請求項９又は１０に記載の無線ネットワーク制御装置。
【請求項１２】
前記プロセッサ（６０）はさらに、前記アップリンクチャネルでユーザ機器による送信に関係した前記少なくとも１つのスループットパラメータを更新するよう適合されていることを特徴とする請求項９乃至１１のいずれか１項に記載の無線ネットワーク制御装置。
【請求項１３】
前記プロセッサ（６０）はさらに、前記少なくとも１つのスループットパラメータを他のネットワークノードのグループと関係させ、前記他のネットワークノードのグループに対して前記少なくとも１つのスループットパラメータを送信するよう適合されていることを特徴とする請求項９に記載の無線ネットワーク制御装置。
【請求項１４】
前記プロセッサ（６０）はさらに、セル設定メッセージとセル再構成メッセージとの内の１つを用いて前記少なくとも１つのスループットパラメータを送信するよう適合されていることを特徴とする請求項９乃至１３のいずれか１項に記載の無線ネットワーク制御装置。
【請求項１５】
ユーザ機器（１４）がランダムアクセス状態で動作している時に、アップリンクチャネルで前記ユーザ機器（１４）による送信に関係した少なくとも１つのスループットパラメータを示す信号を受信することを含む、信号の送受信を行うように構成されたインタフェース（Ｉｕｂ）と、
前記ユーザ機器に対して、そして、前記ユーザ機器から、エアインタフェースにより信号を送受信するように適合されたトランシーバ（７２）と、
前記トランシーバ（７２）に結合され、前記少なくとも１つのスループットパラメータを処理し、前記少なくとも１つのスループットパラメータに基づくサービング・グラント信号を生成するよう適合されたプロセッサ（７４）とを有し、
前記トランシーバ（７２）は前記サービング・グラント信号を前記ユーザ機器（１４）に対して送信し、
前記少なくとも１つのスループットパラメータは最大トランスポートブロックサイズ（ＴＢＳ）であり、
前記アップリンクチャネルは拡張個別チャネル（Ｅ−ＤＣＨ）であり、
前記ランダムアクセス状態はＣＥＬＬ＿ＦＡＣＨ状態であり、
前記最大ＴＢＳは、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含む
２つの最大ＴＢＳの値を含むことを特徴とするネットワークノード（１０）。
【請求項１６】
前記インタフェースはさらに、無線ネットワークサブシステムアプリケーション部（ＲＮＳＡＰ）とノードＢアプリケーション部（ＮＢＡＰ）シグナリングの内の少なくとも１つを用いてＩｕｂインタフェースにより前記少なくとも１つのスループットパラメータを受信するよう適合されていることを特徴とする請求項１５に記載のネットワークノード。
【請求項１７】
前記プロセッサ（７４）はさらに、前記最大ＴＢＳ以下のブロックサイズをもつ前記アップリンクチャネルＥ−ＤＣＨでの送信に前記ユーザ機器を制限する前記スケジューリング・グラントを生成するよう適合されていることを特徴とする請求項１５又は１６に記載のネットワークノード。
【請求項１８】
前記プロセッサ（７４）はさらに、前記最大ＴＢＳ以下のブロックサイズをもつ前記アップリンクチャネルＥ−ＤＣＨでの送信に前記ユーザ機器を制限しない前記スケジューリング・グラントを生成するよう適合されていることを特徴とする請求項１５乃至１７のいずれか１項に記載のネットワークノード。
【請求項１９】
前記インタフェース（Ｉｕｂ）は、前記ユーザ機器（１４）がランダムアクセス状態で動作しているとき、前記アップリンクチャネルでの前記ユーザ機器（１４）による送信と関係する前記少なくとも１つのスループットパラメータを示す前記信号として、セル設定メッセージとセル再構成メッセージとの内の１つを受信するよう構成されていることを特徴とする請求項１５乃至１８のいずれか１項に記載のネットワークノード。
【請求項２０】
ユーザ機器（１４）がランダムアクセス状態で動作しているとき、アップリンクチャネルでの前記ユーザ機器（１４）による送信と関係する少なくとも１つのスループットパラメータを示す信号を受信する工程を含む方法であって、
前記少なくとも１つのスループットパラメータに基いて、サービンググラント信号を生成する工程と、
前記ユーザ機器（１４）に対して、前記サービンググラント信号を送信する工程とを有し、
前記少なくとも１つのスループットパラメータは最大トランスポートブロックサイズ（ＴＢＳ）であり、
前記アップリンクチャネルは拡張個別チャネル（Ｅ−ＤＣＨ）であり、
前記ランダムアクセス状態はＣＥＬＬ＿ＦＡＣＨ状態であり、
前記最大ＴＢＳは、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含む
２つの最大ＴＢＳの値を含むことを特徴とする方法。
【請求項２１】
無線ネットワークサブシステムアプリケーション部（ＲＮＳＡＰ）とノードＢアプリケーション部（ＮＢＡＰ）シグナリングの内の少なくとも１つを用いてＩｕｂインタフェースにより前記少なくとも１つのスループットパラメータを受信する工程をさらに有することを特徴とする請求項２０に記載の方法。
【請求項２２】
前記最大ＴＢＳ以下のブロックサイズをもつ前記アップリンクチャネルＥ−ＤＣＨでの送信に前記ユーザ機器を制限する前記スケジューリング・グラントを生成する工程をさらに有することを特徴とする請求項２０又は２１に記載の方法。
【請求項２３】
前記最大ＴＢＳ以下のブロックサイズをもつ前記アップリンクチャネルＥ−ＤＣＨでの送信に前記ユーザ機器を制限しない前記スケジューリング・グラントを生成する工程をさらに有することを特徴とする請求項２０乃至２２のいずれか１項に記載の方法。
【請求項２４】
前記受信する工程はさらに、前記ユーザ機器（１４）がランダムアクセス状態で動作しているとき、前記アップリンクチャネルでの前記ユーザ機器（１４）による送信と関係する前記少なくとも１つのスループットパラメータを示す前記信号として、セル設定メッセージとセル再構成メッセージとの内の１つを受信する工程を有することを特徴とする請求項２０乃至２３のいずれか１項に記載の方法。
【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
無線ネットワーク制御装置（ＲＮＣ）（１８）において、ユーザ機器（１４）がＣＥＬＬ＿ＦＡＣＨ状態で動作しているときに、前記ユーザ機器（１４）による拡張個別チャネル（Ｅ−ＤＣＨ）での送信に関係したＮｏｄｅＢ（１０）毎の、２つの最大トランスポートブロックサイズ（ＴＢＳ）値を決定する工程と、
各ＮｏｄｅＢ（１０）に対して前記ＲＮＣ（１８）から前記２つの最大ＴＢＳ値を送信する工程とを有し、
前記２つの最大ＴＢＳ値は、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含む
ことを特徴とする方法。
【請求項２】
前記決定する工程はさらに、受信されスケジュールされたＥＤＣＨ電力割当（ＲＥＥＰＳ）測定と受信全広帯域電力と基準受信全広帯域電力との内の少なくとも１つを用いて前記２つの最大ＴＢＳ値を決定する工程を有することを特徴とする請求項１に記載の方法。
【請求項３】
前記ＮｏｄｅＢ（１０）において前記２つの最大ＴＢＳ値を受信する工程と、
前記ＮｏｄｅＢ（１０）によって、前記セル周縁部に位置しており前記ＣＥＬＬ＿ＦＡＣＨ状態で動作している前記ユーザ機器（１４）の内の少なくともいくつかに対してスケジューリング・グラントを送信する工程とをさらに有し、
前記スケジューリング・グラントにより、前記第１の最大ＴＢＳ値以下のブロックサイズをもつ前記Ｅ−ＤＣＨでの送信に前記ユーザ機器（１０）を制限することを特徴とする請求項１又は２に記載の方法。
【請求項４】
前記ＮｏｄｅＢ（１０）において前記２つの最大ＴＢＳ値を受信する工程と、
前記ＮｏｄｅＢ（１０）によって、前記セル周縁部に位置しており前記ＣＥＬＬ＿ＦＡＣＨ状態で動作している前記ユーザ機器（１４）の内の少なくともいくつかに対してスケジューリング・グラントを送信する工程とをさらに有し、
前記スケジューリング・グラントにより、前記第１の最大ＴＢＳ値以下のブロックサイズをもつ前記Ｅ−ＤＣＨでの送信に前記ユーザ機器（１０）を制限しないことを特徴とする請求項１又は２に記載の方法。
【請求項５】
前記拡張個別チャネル（Ｅ−ＤＣＨ）で前記ユーザ機器（１４）による送信に関係した前記２つの最大ＴＢＳ値を更新する工程をさらに有することを特徴とする請求項１乃至４のいずれか１項に記載の方法。
【請求項６】
前記２つの最大ＴＢＳ値はＮｏｄｅＢ（１０）のグループと関係しており、
前記送信する工程はさらに、前記ＲＮＣ（１８）から前記ＮｏｄｅＢ（１０）のグループに対して前記２つの最大ＴＢＳ値を送信する工程を有することを特徴とする請求項１乃至５のいずれか１項に記載の方法。
【請求項７】
１つ以上のＮｏｄｅＢ（１０）を制御するプロセッサ（６０）を有し、
前記プロセッサ（６０）は、ユーザ機器（１４）がＣＥＬＬ＿ＦＡＣＨ状態で動作しているときに、拡張個別チャネル（Ｅ−ＤＣＨ）での前記ユーザ機器（１４）による送信に関係したＮｏｄｅＢ（１０）毎の、２つの最大トランスポートブロックサイズ（ＴＢＳ）値を決定するよう適合され、
前記プロセッサ（６０）はさらに、前記１つ以上のＮｏｄｅＢ（１０）に対して前記２つの最大ＴＢＳ値を送信するように適合されており、
前記２つの最大ＴＢＳ値は、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含むことを特徴とする無線ネットワーク制御装置（ＲＮＣ）（１８）。
【請求項８】
前記プロセッサ（６０）はさらに、前記２つの最大ＴＢＳ値をＮｏｄｅＢのグループと関係させ、前記ＮｏｄｅＢのグループに対して前記２つの最大ＴＢＳ値を送信するよう適合されていることを特徴とする請求項７に記載の無線ネットワーク制御装置。
【請求項９】
信号の送信と受信を行うように構成されたインタフェース（Ｉｕｂ）と、
エアインタフェースにより、ユーザ機器に対して信号を送信し、そして、前記ユーザ機器から信号を受信するように適合されたトランシーバ（７２）と、
前記トランシーバ（７２）に接続されたプロセッサ（７４）とを有し、
前記プロセッサは、前記ユーザ機器（１４）がＣＥＬＬ＿ＦＡＣＨ状態で動作している時に、拡張個別チャネル（Ｅ−ＤＣＨ）での前記ユーザ機器（１４）による送信に関係した２つの最大トランスポートブロックサイズ（ＴＢＳ）値を示す信号を受信するよう構成され、
前記２つの最大ＴＢＳ値は、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含み、
前記プロセッサはさらに、前記２つの最大ＴＢＳ値を処理し、前記２つの最大ＴＢＳ値に基づくサービンググラント信号を生成するよう適合され、
前記トランシーバ（７２）は前記サービンググラント信号を前記ユーザ機器（１４）に対して送信することを特徴とするネットワークノード（１０）。
【請求項１０】
前記プロセッサ（７４）はさらに、前記第１の最大ＴＢＳ値以下のブロックサイズをもつ前記拡張個別チャネル（Ｅ−ＤＣＨ）での送信に前記セル周縁部に位置しているユーザ機器を制限する前記スケジューリング・グラントを生成するよう適合されていることを特徴とする請求項９に記載のネットワークノード。
【請求項１１】
ユーザ機器（１４）がＣＥＬＬ＿ＦＡＣＨ状態で動作しているとき、拡張個別チャネル（Ｅ−ＤＣＨ）での前記ユーザ機器（１４）による送信と関係する２つの最大トランスポートブロックサイズ（ＴＢＳ）値を示す信号を受信する工程と、
前記２つの最大ＴＢＳ値に基いて、サービンググラント信号を生成する工程と、
前記ユーザ機器（１４）に対して、前記サービンググラント信号を送信する工程とを有し、
前記２つの最大ＴＢＳ値は、
（ａ）セル周縁部に位置しており前記ＣＥＬＬ＿ＦＡＣＨ状態で動作しているユーザに関する第１の最大ＴＢＳの値と、
（ｂ）前記セル周縁部に位置していない前記ＣＥＬＬ＿ＦＡＣＨ状態で動作しているユーザに関する第２の最大ＴＢＳの値とを含むことを特徴とする方法。
【請求項１２】
無線ネットワークサブシステムアプリケーション部（ＲＮＳＡＰ）とノードＢアプリケーション部（ＮＢＡＰ）シグナリングの内の少なくとも１つを用いてＩｕｂインタフェースにより前記２つの最大ＴＢＳ値を受信する工程をさらに有することを特徴とする請求項１１に記載の方法。
【請求項１３】
前記第１の最大ＴＢＳ値以下のブロックサイズをもつ前記拡張個別チャネル（Ｅ−ＤＣＨ）での送信に前記セル周縁部に位置しているユーザ機器を制限する前記スケジューリング・グラントを生成する工程をさらに有することを特徴とする請求項１１又は１２に記載の方法。
【請求項１４】
前記第１の最大ＴＢＳ値以下のブロックサイズをもつ前記拡張個別チャネル（Ｅ−ＤＣＨ）での送信に前記セル周縁部に位置しているユーザ機器を制限しない前記スケジューリング・グラントを生成する工程をさらに有することを特徴とする請求項１１又は１２のいずれか１項に記載の方法。
【請求項１５】
前記受信する工程はさらに、前記ユーザ機器（１４）がＣＥＬＬ＿ＦＡＣＨ状態で動作しているとき、前記アップリンクチャネルでの前記ユーザ機器（１４）による送信と関係する前記２つの最大ＴＢＳ値を示す前記信号として、セル設定メッセージとセル再構成メッセージとの内の１つを受信する工程を有することを特徴とする請求項１１乃至１４のいずれか１項に記載の方法。
【国際調査報告】
2011511595.tif 000012
2011511595.tif 000013
2011511595.tif 000014